(57)【要約】      （修正有）【課題】消火活動での腕の前方の動作において、防火服の吊れ上がりを抑えつつ腕の前方への振り出し動作に支障がない、安全性および機能性に優れた防火服の上着を提供する。【解決手段】防火服の上着１は、左右の前見頃３および後見頃４を有する本体部２に、左右の袖部５を取り付けたものである。この上着１の腋下位置に本体部２の前見頃３と後見頃４との間から左右の袖部５の袖口方向へ向けて帯状に延びる腋下マチパーツ７を設ける。左右の袖部５を、腋下マチパーツ７が縫い付けの切替え線に沿って自然に展張された状態で袖部５の長手方向が斜め上方かつ斜め前方に向くように傾斜させて取り付ける。それにより、着衣者が消火活動において、腕を前方で動作させたときに、上着１の本体部２の上方および前方への偏倚を抑制し、上着１の後裾部がめくり上がるのを防止する。【選択図】図１
2019206783.tif 000002
【特許請求の範囲】
【請求項１】
左右の前見頃および後見頃を有する本体部に、左右の袖部を取り付けた防火服の上着において、前記上着の腋下位置に前記本体部の前記前見頃と前記後見頃との間から前記左右の袖部の袖口方向へ向けて帯状に延びる腋下マチパーツを設け、前記左右の袖部を、前記腋下マチパーツが縫い付けの切替え線に沿って自然に展張された状態で袖部の長手方向が斜め上方かつ斜め前方に向くように傾斜させて取り付けてあり、前記左右の袖部の斜め上方かつ斜め前方への引き上げ時の前記本体部の上方および前方へ偏倚を抑制するようにしたことを特徴とする防火服の上着。
【請求項２】
請求項１記載の防火服の上着において、前記上着は、外衣と、前記外衣に着脱可能にまたは縫い付けによって装着される内衣とによって構成されていることを特徴とする防火服の上着。
【請求項３】
請求項１または２記載の防火服の上着において、前記袖部の袖ぐりから袖部長手方向に向かう斜め上方への傾斜角度が水平方向に対して１０°〜６０°であり、斜め前方への傾斜角度が２０°〜５０°であることを特徴とする防火服の上着。
【請求項４】
請求項１、２または３記載の防火服の上着において、前記腋下マチパーツを前記上着本体部の裾位置または裾位置近傍から袖部の袖口位置または袖口位置近傍まで延びる左右それぞれ１枚のパーツで構成していることを特徴とする防火服の上着。
【発明の詳細な説明】
【技術分野】
【０００１】
本発明は、消防隊員などが一般火災の消火活動時等に着用する防火服の改良に係り、特に消火活動時における機能性を向上させた防火服の上着に関するものである。
【背景技術】
【０００２】
従来、防火服の上着として、左右の前身頃および後身頃を有する本体部に左右の袖を取付けた外衣と内衣とを備え、外衣の本体部裏面に内衣の本体部をファスナーあるいはホックなどにより着脱可能に保持させ、外衣の左右の袖内に内衣の左右の袖を着脱可能に嵌めたものが一般に用いられている。
【０００３】
そして、外衣はアラミド繊維などの断熱性に優れた難燃繊維生地またはアラミド繊維の上面にアルミニウムの蒸着を施した非通気性の生地を使用することで、耐炎性を向上させ、内衣は、耐熱性、断熱性のすぐれた透湿防水生地を用いて構成しているのが一般的である。
【０００４】
しかしながら、従来の防火服の上着では、以下のような不具合があった。
（１）従来の防火服の上着にあっては、特に、外衣の表面布地にアルミニウムを蒸着し、防火服の外部と内部との通気を遮断した非通気性の生地を使用し、内部への防水を行なうようにしたものであるから、生地が厚くなってしまい、着衣における機能性、特に消火作業時における左右の腕のスムーズな動作ができず、作業能力が次第に低下し、消火活動に重大な支障を招来する結果となっていた。
【０００５】
（２）左右の前身頃および後身頃の縫い付け切替えラインである上端部が着衣者の肩の稜線部分で直接縫い付けられており、この縫い付け部分を肩布で覆う必要があると共に、両肩の稜線部分がそれぞれ首部部分より両側がそれぞれ下向きに傾斜したハ字状に裁断された形状であり、このハ字状に両側が下向きに傾斜した左右の前身頃および後身頃の上端部の袖ぐりに左右の袖を直接縫い付けてあるため、左右の袖が当然下向きに縫い付け連結されることになり、下方向の腕の揺動には何等抵抗なくスムーズに動作できるが、上方向への引き揚げ動作などにおいては、左右のマチ部があっても、左右の前身頃および後身頃からなる本体部の側端部が、左右の袖の上方への移動に伴って、吊り上げ偏倚させられる。
【０００６】
しかるに、本体部はベルトなどで身体胴部に締付けられており、前記左右の袖の上方への移動を抑制するため、結果的に着衣者の腕の上方への引き揚げを困難にして着衣の機能性を悪くしていた。
【０００７】
（３）左右の前身頃および後身頃の縫い付け切替えラインである上端部が着衣者の肩の稜線部分で直接縫い付けられ、この縫い付け部を肩布で覆ったものであるから、縫製が面倒であると共に、肩部分が厚手になって、着衣者の肩の回動動作がスムーズに行い難かった。
【０００８】
このような不具合の解消のため、本件出願人は特許文献１に記載される防火服の上着を開発した。
【０００９】
すなわち、特許文献１記載の発明は、防火服の上着の本体部に装着される左右の袖を袖の筒状の稜線部（上面部）が首部より次第に上方に向くように傾斜させて取り付けることで、左右の袖の上方への引き上げ回動時に、本体部が袖と共に、上方へ引き上げられて偏倚しないように余裕をもたせて形成し、着衣の機能性を向上させ着衣者の消火活動を容易にするようにしたものである。
【先行技術文献】
【特許文献】
【００１０】
【特許文献１】特許第３６１６２８８号公報
【発明の概要】
【発明が解決しようとする課題】
【００１１】
特許文献１記載の防火服の上着のように、左右の袖を袖の筒状の稜線部（上面部）が首部より次第に上方に向くように傾斜させて取り付ける構成において、最近では、図１(a)の模式図に示すように、腋下位置に本体部２の前見頃３と後見頃４の間から袖部５の袖口方向に向けて帯状に延びる腋下マチパーツ７を配するデザインが採用されることがある。
【００１２】
この従来の腋下マチパーツ７は腕が体側から垂直に拳上する動作を想定したものである。
ところで、実際の消火活動においては、梯子を昇降する際や、狭い隙間に入って行く際、正確性、安全性の観点から、眼より前方で動作を行うことが望ましい。また、眼より前方での腕の動作が自然な動作である。
【００１３】
その場合、図１(a)のように腋下マチパーツ７が側面からみて垂直に延びるデザインでは、前方に腕を振り出す動作の際の腋下マチパーツ７の形状変化や、縫い目となる切替え線の距離の不足から、上着１の後裾の吊れ上がりが大きくなる。そのため、吊り上がった部分から防火服がめくれて火傷を負う恐れがある。
【００１４】
また、消火活動において、空気呼吸器などを上着１の上からバンドで固定した状態では、腕の前方への振り出し動作がさらに限定されるという問題がある。
【００１５】
本発明は、上述の課題の解決を図ったものであり、消火活動における正確性、安全性の観点からの眼より前方の動作において、防火服の上着後裾の吊れ上がりを極力抑えつつ腕の前方への振り出し動作に支障がない、安全性および機能性に優れた防火服の上着を提供することを目的としたものである。
【課題を解決するための手段】
【００１６】
本発明は、左右の前見頃および後見頃を有する本体部に、左右の袖部を取り付けた防火服の上着において、前記上着の腋下位置に前記本体部の前記前見頃と前記後見頃との間から前記左右の袖部の袖口方向へ向けて帯状に延びる腋下マチパーツを設け、前記左右の袖部を、前記腋下マチパーツが縫い付けの切替え線に沿って自然に展張された状態で袖部の長手方向が斜め上方かつ斜め前方に向くように傾斜させて取り付けてあり、着衣者による前記左右の袖部の斜め上方かつ斜め前方への引き上げ時の前記本体部の上方および前方へ偏倚を抑制するようにしたことを特徴とする。
【００１７】
図１(b)は上記の構成を、図１(a)の従来例と対比して示した模式図である。前述のように、図１(a)の腋下マチパーツ７が側面からみて垂直に延びるデザインでは、眼より前方に腕を振り出す動作の際の腋下マチパーツ７の形状変化や、縫い目となる切替え線の距離不足から、上着１の後裾の吊れ上がりが大きくなるという問題がある。
【００１８】
これに対し、図１(b)のように腋下マチパーツ７が斜め上方かつ斜め前方に向くように傾斜させて取り付けてあることで、消火作業において着衣者が眼より前方に腕を振り出す動作による腋下マチパーツ７の形状変化を最小限にとどめることができ、縫い目となる切替え線の距離も確保できることから上着１の後裾の吊れ上がりを軽減することができる。
【００１９】
また、消火活動において、空気呼吸器などを上着の上からバンドで固定した状態での腕の前方への振り出し動作が容易となる。
【００２０】
なお、本発明の防火服は従来の一般的な防火服の場合と同様、外衣と、外衣に着脱可能にまたは縫い付けによって装着される内衣とによって構成することができる。また、外衣や内衣に用いる生地や外衣の表面布地へのアルミニウムの蒸着や防水加工など、基本的には従来の防火服と同様に考えることができるが、本発明は必ずしもそれに限定されるものではない。
【００２１】
斜め上方かつ斜め前方への傾斜の角度としては、袖部の袖ぐりから袖部長手方向に向かう斜め上方への傾斜角度が水平方向に対して１０°〜６０°（拳上１００°〜１５０°に相当）、斜め前方への傾斜角度（水平内転に相当）が２０°〜５０°が程度望ましい。
【００２２】
これは人体工学的、解剖学的に肩甲骨面等との関係で、動作における負担が小さく、眼より前方で行う動作が容易で、消火活動を安全に行うために好ましい範囲である。
ただし、袖部は必ずしも直線状ではなく、徐々に傾斜角度が増す弧状に近い形状や、肘部で屈曲するような形状も含まれ、その場合傾斜角度は上記の範囲程度で変化するようにするのがよい。
【００２３】
また、本発明において、腋下マチパーツを上着本体部の下端の裾位置または裾位置近傍から袖部の袖口位置または袖口位置近傍まで延びる左右それぞれ１枚のパーツで構成すると、上着全体を構成する布パーツの数を抑えつつ、本発明における上着本体部および袖部の立体形状を効率的に実現することができる。その場合、布パーツどうしの縫い付けの切替え線も単純化され、防水加工等も容易となり、製造作業の効率化も図れる。
【発明の効果】
【００２４】
本発明の防火服の上着は、腋下位置に本体部の前見頃と後見頃との間から左右の袖部の袖口方向へ向けて帯状に延びる腋下マチパーツを設け、左右の袖部を、腋下マチパーツが縫い付けの切替え線に沿って自然に展張された状態で袖部の長手方向が斜め上方かつ斜め前方に向くように傾斜させて取り付けた構成であるため、特許文献１記載の発明との対比においても着衣者の腕が前方に振り出されたときの上着本体部の上方および前方へ偏倚、特に後裾の吊れ上がりをさらに抑制することができる。
【００２５】
袖部の立体形状が眼より前方の動作を想定した方向を基準としているため、消火作業において着衣者は前方に腕を振り出す動作をスムーズに行うことができ、空気呼吸器を上着の上からバンドで固定した状態でも腕の前方での動作に支障が生じない。
【００２６】
そのため、消火活動を正確、かつ安全に行うことができ、着衣者のストレスや疲労も軽減することができる。
【図面の簡単な説明】
【００２７】
【図１】本発明の防火服の上着の基本構成を従来例と対比して原理的に示したもので、(a)は従来の防火服の上着の腋下マチパーツ部分の形状を側面から見た模式図、(b)は本発明の防火服の上着の腋下マチパーツ部分の形状を側面から見た模式図である。
【図２】本発明の防火服の上着の第１実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【図３】本発明の防火服の上着の第２実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【発明を実施するための形態】
【００２８】
以下、本発明の具体的な実施形態を、図２（第１実施例）、図３（第２実施例）に基づいて説明する。
【００２９】
〔第１実施例〕
図２は本発明の防火服の上着の第１実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【００３０】
図中、１は消防服の上着全体を示し、左右の前身頃３、後身頃４、左右の肩パーツ９とによって、上着１の本体部２が立体的な筒状に形成され、本体部２の左右の袖ぐりに筒状に形成された左右の袖部５、衿ぐりに衿６が取り付けられている。
【００３１】
そして、上着１の腋下位置に、本体部２の前見頃３と後見頃４との間から左右の袖部５の袖口方向へ向けて帯状に延びる腋下マチパーツ７を設け、この腋下マチパーツ７を、図１(b)で説明したように斜め上方かつ斜め前方に向くように傾斜させて取り付けてあることで、図２(d)に示すように、左右の袖部５を、腋下マチパーツ７が縫い付けの切替え線に沿って自然に展張された状態では、袖部５の長手方向が斜め上方かつ斜め前方に向くように傾斜する。
【００３２】
このような構成とすることで、前述のように、着衣者の腕が前方に振り出されたときの上着本体部の上方および前方へ偏倚、特に後裾の吊れ上がりを抑制することができ、袖部の立体形状が眼より前方の動作を想定した方向を基準としているため、消火作業において着衣者は前方に腕を振り出す動作をスムーズに行うことができ、空気呼吸器を上着の上からバンドで固定した状態でも腕の前方での動作に支障が生じない
【００３３】
本実施例では、袖部５は、上腕袖パーツ１１、前腕袖パーツ１２からなり、肘頭位置に肘当て１０を縫い付けてある。また、本実施例では肘頭位置に取り付けられた肘当て１０の片側に上述の腋下マチパーツ７の上端部が位置し（図２(d)参照）、肘当て１０の反対側に袖部外側マチパーツ１３を配置することで、袖部５の肘部分を肘の内側に向けてわずかに屈曲させた屈曲姿勢を立体的に作り出している。
【００３４】
そのため、消火活動における腕の動作において、肘頭が袖部に密着した状態で圧迫される状態が軽減され、腕の動作がスムーズとなり、防火服の腕への圧着部分から受けやすい熱の影響も軽減できる。
【００３５】
また、屈曲姿勢を立体的に作り出しているため、上記の効果に加え、袖部５をよりスリムな形状とすることができる。スリムな形状とすることで、使用する布地の量も減らすことができ、防火構造に起因して重量が大きくなっている防火服の重量軽減効果、重量軽減により着衣者の体力的な負担やストレスが軽減され、活動しやすくなるといった副次的な効果も得られる。
【００３６】
その他、本体部２の前面に設けられる当て布８、前見返し１４、後見返し１５、袖口見返し１６、反射シート２１などの構成は、従来の防火服と大きく異なるものではなく、生地はアラミド繊維等の難然性の織布にアルミニウムを蒸着した非通気性の生地などが使用される。
【００３７】
また、本実施例に関して、防火服の上着１を構成する外衣や内衣の関係、縫製の仕方、生地の種類などは特に説明していないが、従来の防火服一般と同様に考えることができ、特に限定されるものではない。
【００３８】
〔第２実施例〕
図３は本発明の防火服の上着の第２実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【００３９】
図中、１は消防服の上着全体を示し、左右の前身頃３、後身頃４、左右の肩パーツ９とによって、上着１の本体部２が立体的な筒状に形成され、本体部２の左右の袖ぐりに筒状に形成された左右の袖部５、衿ぐりに衿６が取り付けられている。
【００４０】
そして、上着１の腋下位置に、本体部２の肩パーツ９を挟む前見頃３と後見頃４との間から左右の袖部５の袖口方向へ向けて帯状に延びる腋下マチパーツ７を設け、この腋下マチパーツ７を、図１(b)で説明したように斜め上方かつ斜め前方に向くように傾斜させて取り付けてあることで、図３(d)に示すように、左右の袖部５を、腋下マチパーツ７が縫い付けの切替え線に沿って自然に展張された状態では、袖部５の長手方向が斜め上方かつ斜め前方に向くように傾斜する。
【００４１】
このような構成とすることで、前述のように、着衣者の腕が前方に振り出されたときの上着本体部の上方および前方へ偏倚、特に後裾の吊れ上がりを抑制することができ、袖部の立体形状が眼より前方の動作を想定した方向を基準としているため、消火作業において着衣者は前方に腕を振り出す動作をスムーズに行うことができ、空気呼吸器を上着の上からバンドで固定した状態でも腕の前方での動作に支障が生じない
【００４２】
なお、本実施例では、肩パーツ９を、第１実施例の場合と異なり、肩パーツ９の身体前面側を上着本体部２の下端裾位置まで延ばしたパーツとし、体側位置では肩パーツ９が前見頃３と後見頃４との間に挟まれる形で縫い付けてある。
【００４３】
また、本実施形態では、腋下マチパーツ７も上着本体部２の下端の裾位置近傍から袖部５の袖口位置近傍まで延びる縦長のパーツで構成し、さらに袖部５についても縦長の袖部上面側パーツ１７、袖部下面側パーツ１８と袖口パーツ１９を組み合わせ、肩パーツ９の形態と合せて、上着１全体を構成する布パーツの数を抑えつつ、上着１の本体部２および袖部５の立体形状を効率的に実現している。そのため、布パーツどうしの縫い付けの切替え線も単純化され、防水加工等も容易となり、製造作業の効率化も図れる。
【００４４】
その他、本体部２の前面に設けられる当て布８、肘当て１０、前見返し１４、後見返し１５、袖口見返し１６、反射シート２１などの構成は、従来の防火服と大きく異なるものではなく、生地はアラミド繊維等の難然性の織布にアルミニウムを蒸着した非通気性の生地などが使用される。
【００４５】
また、本実施例に関しても、防火服の上着１を構成する外衣や内衣の関係、縫製の仕方、生地の種類などは特に説明していないが、従来の防火服一般と同様に考えることができ、特に限定されるものではない。
【符号の説明】
【００４６】
１…防火服の上着、２…本体部、３…前見頃、４…後見頃、５…袖部、６…衿、７…腋下マチパーツ、８…当て布、９…肩パーツ、１０…肘当て、１１…上腕袖パーツ、１２…前腕袖パーツ、１３…袖部外側マチパーツ、１４…前見返し、１５…後見返し、１６…袖口見返し、１７…袖部上面側パーツ、１８…袖部下面側パーツ、１９…袖口パーツ、
２１…反射シート
【図１】
2019206783.tif 000003
【図２】
2019206783.tif 000004
【図３】
2019206783.tif 000005